(57)【特許請求の範囲】
【請求項１】
駆体側に設けられる固定具と、固定具に取り付けられて配管をその外周面から環状する ように保持する立バンドとを備えた配管支持構造において、 
固定具と立バンドをボルト及びナットの締結具で取り付けるために形成された取付部を締結具とともに囲繞することだけを目的に使用される専用部材である中空円柱状の保護カバー本体からなり、当該保護カバー本体は相互に分離された２以上の部材を組み合わせることで中空円柱状に構成されるとともに保護カバー本体の内面にその内面から取付部側へ延伸させてボルトのネジ側先端部分又はボルト頭又はナットを収納可能にして係止する係止構造を備え、取付部への接触による怪我を防止し、その安全に寄与することを特徴とする立バンド専用取付部保護カバー。
【請求項２】
取付部を囲繞する保護カバー本体は、相互に連接された２以上の部材を組み合わせることで中空円柱状に構成されることを特徴とする請求項１記載の立バンド専用取付部保護カバー。
【請求項３】
保護カバー本体の長手方向端部には、取付部を通すための開口部を備え、当該開口部は、取付部の幅及び／又は厚みに合わせた寸法であることを特徴とする請求項１又は請求項２記載の立バンド専用取付部保護カバー。
【請求項４】
請求項１から請求項３のいずれかに記載の立バンド専用取付部保護カバーを備えたことを特徴とする配管支持構造。
【発明の詳細な説明】
【技術分野】
【０００１】
本願発明は、主に鉛直方向に配設される配管を支持するために、駆体側に設けられる固定具と、固定具に取り付けられて配管を保持する立バンドとを備えた配管支持構造に関するものである。
【背景技術】
【０００２】
主に鉛直方向に配設される配管を支持するために、駆体側に設けられる固定具と、固定具に取り付けられて配管を保持する立バンドとを備えた配管支持構造がある（非特許文献１乃至非特許文献３など）。
【０００３】
そして、この配管支持構造では、固定具に立バンドを取り付けるために形成された取付部並びにその締結具であるボルト及びナットが剥き出しになるため、身体の一部がこのボルトやナットを含む取付部に接触して思わぬ怪我などをするおそれがあった。特に、児童・生徒の利用する校舎・体育館などでは、これに対する安全対策が急務である。
【０００４】
これまではその応急措置として、図１６に図示するように、この取付部に布やクッション材などをテープで巻き付けたり、あるいはテープのみを巻き付けて、ボルトやナットを含む取付部がそのまま露出しないようにする場合があった。
【先行技術文献】
【非特許文献】
【０００５】
【非特許文献１】「Ｐｉｐｅ  Ｈａｎｇｅｒｓ  ＆  Ｓｕｐｐｏｒｔｓ  Ｎｅｗｓ  アカギ式配管支持金具  ２０１３−６０」株式会社アカギ  第７１頁及び第７２頁
【非特許文献２】「ＭＡＲＵＩ  ＫＡＮＫＩ  マルイ管機設備パーツ総合カタログＮｏ．１（２０１３．２〜）」丸井産業株式会社  第１５７頁
【非特許文献２】「ＭＡＲＵＩ  ＫＡＮＫＩ  マルイ管機設備パーツ総合カタログＮｏ．１（２０１３．２〜）」丸井産業株式会社  第１５７頁
【非特許文献３】「２０１３−２０１４  日栄インテック  配管支持金具  総合カタログ」日栄インテック株式会社  第４６頁
【発明の概要】
【発明が解決しようとする課題】
【０００６】
しかし、図１６に図示すような応急措置では、次のような課題があった。
（１）作業者の技量によってどうしても個人差が生じてしまい、品質（安全性）の確保が難しい。
（２）取付部は配管と躯体との狭い間にあるので、作業がやりにくい。
（３）作業に時間がかかる。
（４）経時変化により、初期取付時の形状劣化のおそれがあった。
（５）取付部から容易に取り外せる。
【０００７】
そこで、本願発明者は、上記のような課題を解決できる従来にない新規な立バンド専用取付部保護カバーを提供すべく鋭意試験・研究を行い、本願発明を完成するに至った。特に、子供達（園児・児童・生徒等）の利用する校舎・体育館などでは、これに対する安全対策が急務であるため、公益的観点から実用性の高いものを目指した。
【課題を解決するための手段】
【０００８】
上記目的を達成するために、本願発明の第１の発明は、駆体側に設けられる固定具と、固定具に取り付けられて配管を保持する立バンドとを備えた配管支持構造において、固定具と立バンドをボルト及びナットの締結具で取り付けるために形成された取付部を締結具とともに囲繞する専用部材からなる立バンド専用取付部保護カバーである。
第２の発明は、取付部を囲繞する保護カバー本体が、１又は２以上の部材を用いることで立体的に構成され、２以上の部材については相互に分離又は連接されていることを特徴とする同立バンド専用取付部保護カバーである。
第３の発明は、保護カバー本体の内面が、締結具のボルト又はナットと係止する係止構造を備えたことを特徴とする同立バンド専用取付部保護カバーである。
第４の発明は、保護カバー本体の長手方向端部には、取付部を通すための開口部を備え、当該開口部は、取付部の幅及び／又は厚みに合わせた寸法であることを特徴とする同立バンド専用取付部保護カバー。
第５の発明は、上記第１から第４の発明に係る立バンド専用取付部保護カバーを備えたことを特徴とする配管支持構造である。
【発明の効果】
【０００９】
上記した本願発明によれば、以下のような効果を有する。
（１）本願発明は、立バンドの取付部を確実にカバーできるので、取付部への接触による怪我等を防止し、その安全に寄与する。特に、子供達（園児・児童・生徒等）の思わぬ怪我等を未然に防止できる。
（２）本願発明に係る立バンド専用取付部保護カバーを施工する作業者の技量に左右されず、同じ品質（安全性）が確保できる。
（３）１工程で済むワンタッチ施工なので、施工作業が容易である。
（４）「新設」の配管支持構造及び「既設」の配管支持構造のいずれにも対応できる。
（５）取付部のナットの脱落を防止できる。
（６）取付部へのいたずらを防止できる。
（７）取付部から容易に取り外せず、施工状態を確実に維持できる。
（８）経時変化による形状劣化が起こりにくい。
【図面の簡単な説明】
【００１０】
【図１】本願発明の第１実施形態を示す説明図（１）。
【図２】本願発明の第１実施形態を示す説明図（２）。
【図３】本願発明の第１実施形態を示す説明図（３）。
【図４】本願発明の第１実施形態を示す説明図（４）。
【図５】本願発明の第１実施形態を示す説明図（５）。
【図６】本願発明の第１実施形態を示す説明図（６）。
【図７】本願発明の第１実施形態を示す説明図（７）。
【図８】本願発明の第１実施形態を示す説明図（８）。
【図９】本願発明の第１実施形態を示す説明図（９）。
【図１０】本願発明の第１実施形態を示す説明図（１０）。
【図１１】本願発明の第１実施形態を示す説明図（１１）。
【図１２】本願発明のその他の第１実施形態を示す説明図（１）。
【図１３】本願発明のその他の第１実施形態を示す説明図（２）。
【図１４】本願発明の第２実施形態を示す説明図（１）。
【図１５】本願発明の第２実施形態を示す説明図（２）。
【図１６】従来技術を示す説明図。
【発明を実施するための形態】
【００１１】
本願発明に係る「立バンド専用取付部保護カバー」（以下「保護カバー」）の実施形態（一例）を図面に基づいて説明する。
まず、図１〜図１１は、本願発明の第１実施形態を示す説明図である。図１〜図５は、本願発明に係る保護カバー１０の基本構造を示す説明図であり、図６〜図１１は、この保護カバー１０の連結構造を示す説明図である。
【００１２】
図１及び図２に示すように、保護カバー１０は、主に鉛直方向に配設される配管９０を支持するために、駆体９１側に設けられる固定具７０と、固定具７０に取り付けられて配管９０を保持する立バンド８０とを備えた配管支持構造６０において、固定具７０と立バンド８０をボルト６５及びナット６６の締結具で取り付けるために形成された取付部６１を締結具とともに囲繞する「専用部材」からなるものである。「専用部材」とは、この取付部６１を囲繞する目的のためだけに使用されるものであり、布やクッション材又はテープなどの汎用品を除く趣旨である。専用部材の材質としては、例えば「塩ビ」などであるが、これに限定されるものではない。
【００１３】
そして、保護カバー１０は、分離された同一形状の保護カバー本体１１，１１を２つ組み合わせることで円柱状に構成されて取付部６１を囲繞する。これにより、配管支持構造６０の取付部６１を確実にカバーできるので、取付部６１への接触による怪我等を防止し、その安全に寄与するものとなる。
【００１４】
ここで、保護カバー本体１１の内面には、環状突起形状の係止部１２を２箇所備える。
図３（保護カバー１０を取付部６１に取り付けた時の内部構造を示す説明図）および図４（図３のＡ−Ａ断面図）に図示するように、この係止部１２は、ボルト６５のネジ側先端部分を収納可能にするものである。これによって、取付部６１への保護カバー１０の取付状態が安定する。なお、取付部６１に設けられるボルト６５とボルト６５の間隔は市場に流通している同種製品において概ね共通にされているので、いずれのメーカーの製品に対しても対応可能である。
【００１５】
但し、図３及び図４の係止部１２は、環状突起形状であってボルト６５のネジ側先端部分を収納可能にするものであるが、本願発明では、この係止部１２に限定されるものではない。すなわち、保護カバー本体の内面が、締結具のボルト又はナットと係止する係止構造を備えればよいのである。図５は、その係止構造の一例を図示したものである（但し、係止構造は、図示のものに限定されるものではない）。
図５（ａ）は、係止部１２ａが略Ｃ字形の突起形状となっており、ボルト６５のネジ側先端部分を収納可能にして係止する構造となっている。
図５（ｂ）は、係止部１２ｂが４点の突起形状となっており、ボルト６５のネジ側先端部分を収納可能にして係止する構造となっている。
図５（ｃ）は、係止部１２ｃが長円状の突起形状となっており、１の係止部１２ｃで２つのボルト６５のネジ側先端部分を収納可能にして係止する構造となっている。
図５（ｄ）は、係止部１２ｄが一対の長片状の突起形状となっており、１の係止部１２ｄで２つのボルト６５のネジ側先端部分を収納可能にして係止する構造となっている。
図５（ｅ）は、保護カバー本体１１の長手方向端部を内側へ入り込むように形成して、保護カバー本体１１の長手方向端部側内面１５ｅがボルト６５のネジ側先端部分と当接することで係止する係止構造となっている。
図５（ｆ）は、保護カバー本体１１を長手方向に短縮させ、保護カバー本体１１の長手方向端部側内面１５ｆがボルト６５のネジ側先端部分と当接することで係止する係止構造となっている。
図５（ｇ）は、係止部１２を保護カバー本体の内面に１箇所だけ設けたものである。２つあるボルト６５のうち片方のみを係止することでも、取付部６１への保護カバー１０の取付状態が安定するからである。従って、係止部１２のみならず、係止部１２ａや同１２ｂ及び後述する同１２ｈにおいても保護カバー本体の内面に１箇所だけ設けることでもよい。
図５（ｈ）は、係止部１２と同様に環状突起形状の係止部１２ｈであるが、ボルト６５のボルト頭部分を収納可能にして係止する構造となっている。また、図示省略するが、ナットを収納可能にして係止する構造としてもよい。このように、係止構造をボルト６５のネジ側先端部分ではなく、ボルト頭部分又はナットと係止する構造とすることは、図５（ａ）〜（ｇ）においても同様である。
【００１６】
また、保護カバー本体１１の長手方向端部には、取付部６１を通すための開口部１３を備える。この開口部１３は、取付部の幅ａ及び／又は厚みｂに合わせた寸法（ｘ、ｙ）になっている。これによって、取付部６１への保護カバー１０の取付状態が安定する。なお、取付部６１の幅ａや厚みｂは市場に流通している同種製品においてほぼ共通であるが、仮に多少の寸法の違いがあったとしても、収納部１２によって取付部６１への保護カバー１０の取付状態が安定するので、いずれのメーカーの製品に対しても対応可能であることに違いは無い。
【００１７】
上記する保護カバー本体１１の連結構造を図６〜図１１に図示する。図６は、連結構造（その１）である。保護カバー本体１１の当接面１４に、係合可能な（はめ殺しの）係合突起１７Ａと係合孔１８Ａを備えたものである。図７は係合突起１７Ａと係合孔１８Ａの係合状態を示す断面図である。このような連結構造を備えることで、保護カバー１０はワンタッチ（１工程）で取付施工できるので、施工作業が容易である。ここで、「係合可能（はめ殺し）」とは、一旦係合した場合にその係合状態が解消されない（外れない）ことを意味する。従って、経年劣化等による付け替えを理由に道具を使用し又は保護カバーに損傷等を与えることなどで意図的に外されることもこれに含まれる。換言すれば、一旦係合した後は外す予定がないことを意味する。以下、図８〜図１１においても同様である。
【００１８】
また、図８は、連結構造（その２）である。保護カバー本体１１の当接面１４に係合可能な（はめ殺しの）係合突起１７Ｂと係合孔１８Ｂを備えたものである。図９は係合突起１７Ｂと係合孔１８Ｂの係合状態を示す断面図である。このような連結構造を備えることで、保護カバー１０はワンタッチ（１工程）で取付施工できるので、施工作業が容易である。
【００１９】
さらに、図１０は、連結構造（その３）である。保護カバー本体１１の当接面１４から外側に延伸する係合可能な（はめ殺しの）係合突起１７Ｃと係合孔１８Ｃを備えたものである。図１１は係合突起１７Ｃと係合孔１８Ｃの係合状態を示す断面図である。このような連結構造を備えることで、保護カバー１０はワンタッチ（１工程）で取付施工できるので、施工作業が容易である。
【００２０】
なお、図１２及び図１３は、本願発明のその他の第１実施形態を示す説明図である。
図１２及び図１３に図示する第１実施形態が図１〜図１１に図示する第１実施形態と異なるのは、保護カバー本体３１，３１を２つ組み合わせることで多角柱状の保護カバー３０に構成される点である。なお、図示したものは八角柱になっているが、これに限られるものではない。すなわち、取付部を囲繞する立体形状であれば、その形状は特に問うものではないのである。その他の点については、図１〜図１１に図示する第１実施形態と同様であるので、その説明を省略する。
【００２１】
次に、図１４及び図１５は、本願発明の第２実施形態を示す説明図である。
第２実施形態が第１実施形態と異なるのは、保護カバー２０が、連接された保護カバー本体２１，２１を２つ組み合わせることで円柱状に構成される点である。保護カバー本体２１，２１が連接されて単体になっているので、取り扱いしやすい利点がある。その他の点については、第１実施形態と同様であるので、その説明を省略する。なお、連結構造については、保護カバー本体２１，２１に２つ形成される当接面２４ａ又は２４ｂの一方にのみ設けてもよい。また、接着剤やテープなどによって、当接面を組み付けても良い。
【００２２】
上記した第１実施形態及び第２実施形態は、保護カバー本体を２つ組み合わせて保護カバーを構成するものであるが、保護カバー本体の数は２つに限らず、３つ以上であってもよい。また、組み合わせる保護カバー本体は、同一形状のものに限るものではなく、異なる形状の保護カバー本体を組み合わせることで、保護カバーを構成するようにしてもよい。
【産業上の利用可能性】
【００２３】
本願発明に係る立バンド専用取付部保護カバーは、鉛直方向に配設される配管を支持するための配管支持構造にあって、ボルト及びナットが剥き出しになっている取付部での怪我を防止するために広く利用できる。特に、特に、子供達（園児・児童・生徒等）の利用する校舎・体育館などにおいて幅広く利用できるものである。
【符号の説明】
【００２４】
（第１実施形態に係る図面の符号について）
１０  立バンド専用取付部保護カバー（保護カバー）
１１  保護カバー本体
１２  係止部
１３  開口部
１４  当接面
１７  係合突起
１８  係合孔
６０  配管支持構造
６１  取付部
６５  ボルト
６６  ナット
７０  固定具
８０  立バンド
９０  配管（立管）
９１  駆体
【図１】
0006783037.tif 000002
【図２】
0006783037.tif 000003
【図３】
0006783037.tif 000004
【図４】
0006783037.tif 000005
【図５】
0006783037.tif 000006
【図６】
0006783037.tif 000007
【図７】
0006783037.tif 000008
【図８】
0006783037.tif 000009
【図９】
0006783037.tif 000010
【図１０】
0006783037.tif 000011
【図１１】
0006783037.tif 000012
【図１２】
0006783037.tif 000013
【図１３】
0006783037.tif 000014
【図１４】
0006783037.tif 000015
【図１５】
0006783037.tif 000016
【図１６】
0006783037.tif 000017